(57)【要約】【課題】パチンコ機等の遊技機において、興趣の飛躍的な向上を図る。【解決手段】パチンコ機１の遊技盤５には、その略中央部において可変表示装置１４が取着されている。可変表示装置１４は、液晶表示部２０と、該液晶表示部２０を囲むようにして設けられたセンターフレーム２１とを有している。センターフレーム２１は、中央部が前後方向に貫通した前ベース枠及び後ベース枠を備え、全体として枠体形状となっている。後ベース枠は、装飾手段を具備している。装飾手段は、１枚乃至複数枚の前記板状体を係止状態又は略係止状態で保持可能な保持手段と、前記保持された板状体及び前記保持手段を取付可能な取付手段とを具備している。【選択図】　　　　　図１
2004065720.tif 000002
【特許請求の範囲】
【請求項１】
照射手段からの照射光を少なくとも１枚の透光性を有する板状体を介して外部より視認可能とした装飾手段を備えた遊技機において、
前記装飾手段は、１枚乃至複数枚の前記板状体を係止状態又は略係止状態で保持可能な保持手段と、前記保持された板状体及び前記保持手段を係止取付可能な取付手段とを具備していることを特徴とする遊技機。
【発明の詳細な説明】
【０００１】
【発明の属する技術分野】
本発明は、装飾手段を備えてなる遊技機に関するものである。
【０００２】
【従来の技術】
従来、遊技機の一種として、パチンコ機等が知られている。パチンコ機は遊技盤において遊技領域を備えている。また、遊技盤には、各種装飾手段が設けられている。近年、ＬＥＤ等のランプからの光を、所定の拡散レンズ等の板状体を介して外部より視認させるよう構成された装飾手段が知られるようになってきている。かかる板状体等の存在により、光の視認態様に個性が付与されたりする。そして、遊技状況に応じて前記ＬＥＤ等を点滅させたりすることで、装飾効果、演出効果を高める等の工夫がなされている。
【０００３】
【発明が解決しようとする課題】
ところで、上記板状体は、例えばねじ止め等によって固定されるのが一般的である。このため、板状体を取り外したり、交換したりする必要がある場合、着脱作業に著しく手間がかかってしまうおそれがある。
【０００４】
なお、上記課題は、パチンコ機に限られるものではなく、スロットマシンをはじめとする、装飾機能を具備する遊技機全般に共通して内在するものである。
【０００５】
そこで、本発明は、板状体を有する装飾手段を具備してなる遊技機において、板状体の着脱を容易に行うことができる遊技機を提供することを目的の１つとしている。
【０００６】
【課題を解決するための手段及びその効果】
上記の課題を解決するために有効な手段等を以下に示す。なお、必要に応じてその作用、効果等についても説明する。
【０００７】
手段１．照射手段からの照射光を少なくとも１枚の透光性を有する板状体を介して外部より視認可能とした装飾手段を備えた遊技機において、
前記装飾手段は、１枚乃至複数枚の前記板状体を係止状態又は略係止状態で保持可能な保持手段と、前記保持された板状体及び前記保持手段を係止取付可能な取付手段とを具備していることを特徴とする遊技機。
【０００８】
手段１によれば、照射手段からの照射光が板状体を介して外部から視認される。このため、板状体の構成に基づく光の視認態様を、遊技者は堪能することができる。さて、手段１では、装飾手段が、保持手段及び取付手段を備えている。保持手段にあっては、１枚乃至複数枚の板状体が係止状態又は略係止状態で保持され、前記板状体及び保持手段が、取付手段に対し係止取付される。このため、取付作業を比較的容易に行うことができるとともに、前記取付手段に取付けられた前記板状体及び保持手段の取外しを比較的容易に行うことができる。その結果、例えば板状体の交換等の作業を行う場合に、作業性の飛躍的な向上を図ることができる。また、各種透光特性を有する板状体を適宜容易に交換することもできるため、容易に視認態様を別のものに異ならせることもできる。従って、装飾に関し、容易にバリエーションをもたせることができ、興趣の飛躍的な向上を図ることができる。
【０００９】
手段２．前記取付手段は、前記保持された板状体及び前記保持手段のうち少なくとも一方を係止可能な係止部を具備していることを特徴とする手段１に記載の遊技機。
【００１０】
手段２によれば、取付手段の係止部により、保持された板状体及び保持手段のうち少なくとも一方が係止され、これにより、取付状態が保持される。そのため、板状体の透光特性に基づく光の視認態様を、遊技者に安定して提供することができる。また、板状体及び前記保持手段が移動することで起こり得る遊技への悪影響も抑制することができる。尚、前記係止部は、係止爪により構成されていることとしてもよい。
【００１１】
手段３．前記保持手段は、厚みの相違する前記板状体を係止状態又は略係止状態で保持可能な保持部を具備していることを特徴とする手段１又は２に記載の遊技機。
【００１２】
手段３によれば、前記保持手段の保持部により、厚みの相違する前記板状体が係止状態又は略係止状態で保持される。そのため、各種透光特性を有する板状体を、適宜に交換等しようとした場合において、各種板状体に関し、保持が可能となる。結果として、容易に視認態様を異ならせることができ、ひいては、装飾に関し、バリエーションをもたせることができ、興趣の飛躍的な向上を図ることができる。
【００１３】
手段４．前記保持手段は、前記保持された板状体及び前記保持手段自身を前記取付手段に対して係止可能な係止体を具備していることを特徴とする手段１乃至３のいずれかに記載の遊技機。
【００１４】
手段４によれば、保持手段が、保持された板状体及び保持手段の取付状態を保持するための係止体を具備していることにより、取付手段側の係止部を低減できる等、取付手段側の構成を簡素化することができる。尚、前記係止体は、係止爪により構成されていることとしてもよい。
【００１５】
手段５．前記取付手段は、前記保持された板状体及び前記保持手段を前記取付手段の所定位置に案内する案内手段を具備していることを特徴とする手段１乃至４のいずれかに記載の遊技機。
【００１６】
手段５によれば、取付手段が案内手段を具備していることにより、保持された板状体及び保持手段を所定位置に案内しつつ取付けることができる。つまり、保持された板状体及び前記保持手段を正確かつスムースに取付けることができる。
【００１７】
手段６．前記取付手段には、前記板状体と略同形状の開口部が設けられており、前記開口部に前記保持された板状体及び保持手段が嵌合されることによって前記装飾手段が構成されていることを特徴とする手段１乃至５のいずれかに記載の遊技機。
【００１８】
手段６によれば、前記板状体と略同形状の開口部に板状体及び保持手段が嵌合されるため、保持手段及び板状体の取付に際しての位置合わせを行い易い。従って、取付作業の作業効率の向上を図ることができる。
【００１９】
手段７．前記保持手段及び前記板状体の嵌合状態を解除することによって、前記板状体及び前記保持手段が前記取付手段から取外されるよう構成されていることを特徴とする手段６に記載の遊技機。
【００２０】
手段７によれば、嵌合状態を解除するという比較的簡素な作業によって取外しを行うことができる。
【００２１】
手段８．遊技媒体として遊技球を用い、遊技球が流下可能な遊技領域である遊技盤を具備する遊技機であって、前記保持手段は、前記板状体と略同一形状の板状部を具備しており、前記取付手段が前記遊技盤に取着された状態において、前記板状部が前記板状体よりも前面側に配置されていることを特徴とする手段１乃至７のいずれかに記載の遊技機。
【００２２】
手段８によれば、保持手段の板状部が前記板状体よりも前面側に配置される。このため、各種視認態様を導出する各種透光特性を有した前記板状体を、遊技球による衝突応力から保護することができる。そのため、板状体の損傷等を抑制することができる。なお、「前記保持手段の板状部は、前記遊技球から前記板状体を保護するための保護板状部であること」としてもよい。
【００２３】
手段９．前記保持手段は、前記板状体と略同形状の板状部、及び、該板状部に実設され、前記板状体を係止する複数の突起部を具備し、前記突起部に、板状体が嵌合されることによって、係止状態又は略係止状態で保持されるよう構成したことを特徴とする手段１乃至８に記載の遊技機。
【００２４】
手段９によれば、突起部に嵌合されることによって、１枚乃至複数枚の前記板状体が係止状態又は略係止状態で保持される。このため、保持作業を比較的容易に行うことができる。
【００２５】
手段１０．前記保持手段及び板状体のいずれかの前面側が遊技球の流路となるよう構成されていることを特徴とする手段１乃至９のいずれかに記載の遊技機。
【００２６】
手段１０によれば、遊技球を前記保持手段及び板状体の前面側を通過させるよう構成することにより、透光視認態様と、遊技球の挙動とが相まった面白味のある演出を導出することができる。また、前記保持手段及び板状体の前面側を覆うようにして透光性を有するレンズカバーを設けることとしてもよい。この場合においては、レンズカバーを介して、前記面白味のある演出を堪能することができる。特に、「前記レンズカバーを拡大又は縮小レンズで構成する」ことで、更なる面白味のある演出を導出することができ、より一層の興趣の向上を図ることができる。
【００２７】
手段１１．遊技媒体として遊技球を用い、遊技球が流下可能な遊技領域を有する遊技盤を具備する遊技機であって、前記板状体及び前記保持手段のうち、遊技球に当接しうる側の面は、略平坦面をなしていることを特徴とする手段１乃至１０のいずれかに記載の遊技機。
【００２８】
手段１１によれば、板状体及び保持手段のうち、遊技球に当接しうる側の面が略平坦面をなしていることにより、遊技球の衝突応力による欠け、磨耗等が起こりにくい。また、板状体の透光特性が阻害されることなく光の視認態様を、遊技者に安定して提供することができる。
【００２９】
手段１２．前記装飾手段は可変表示装置の周囲に配設されるセンターフレームによって構成され、前記取付手段は前記センターフレームに設けられた取付枠部であり、前記取付枠部の前面側を遊技球が通過可能となっていることを特徴とする手段１乃至１１のいずれかに記載の遊技機。
【００３０】
手段１２によれば、前記センターフレームの取付枠部の前面側を遊技球が通過しうる。このため、通過する遊技球と板状体等から放たれる光に視認態様との相乗的な演出を堪能することができる。
【００３１】
手段１３．前記板状体は、光拡散機能を有しており、各板状体間で拡散態様が相違するよう構成されていることを特徴とする手段１乃至１２のいずれかに記載の遊技機。
【００３２】
手段１３によれば、板状体の枚数を増減させることのみで視認態様を別のものにすることができ、バリエーションの変更を一層容易なものとすることができる。
【００３３】
手段１４．手段１乃至１３のいずれかにおいて、遊技機はパチンコ遊技機であること。中でも、パチンコ遊技機の基本構成としては、操作ハンドルを備えていてそのハンドル操作に応じて遊技球を所定の遊技領域に発射させ、遊技球が遊技領域内の所定の位置に配置された作動口に入賞することを必要条件として可変表示装置の表示部において変動表示されている識別情報が所定時間後に確定停止表示されることが挙げられる。また、特別遊技状態発生時には遊技領域内の所定の位置に配置された可変入賞装置が所定の態様で開放されて遊技球を入賞可能とし、その入賞個数に応じた有価価値（景品球等のみならず、磁気カードへの書き込み等も含む）が付与されることが挙げられる。
【００３４】
手段１５．手段１乃至１３のいずれかにおいて、遊技機は回胴式遊技機であること。ここで、回胴式遊技機の構成としては、「複数の識別情報からなる識別情報列（具体的にはリールであり、識別情報はリールに付されたシンボルである）を変動表示（具体的にはリールの回動である）した後に識別情報を確定停止表示する可変表示手段を備え、始動用操作手段（例えば操作レバー）の操作に起因して識別情報の変動が開始され、停止用操作手段（例えばストップボタン）の操作に起因して或いは所定時間経過することにより識別情報の変動が停止され、その停止時の確定識別情報が特定識別情報であることを必要条件として遊技者に有利な特別遊技状態を発生させる特別遊技状態発生手段を備えた回胴式遊技機」となる。なお、回胴式遊技機にあっては、前記リール等を具備する可変表示手段を可変表示装置として捉えてもよいし、前記リールとは別途設けられ、前記識別情報に対応する（疑似的な対応であってもよい）識別情報を表示可能な表示装置（例えば液晶表示装置）をここにいう可変表示装置として捉えてもよい。
【００３５】
手段１６．手段１乃至１３のいずれかにおいて、遊技機はパチンコ機とスロットマシンとを融合させた遊技機であること。中でも、前記融合させた遊技機の基本構成としては、「複数の識別情報からなる識別情報列（具体的にはリールであり、識別情報はリールに付されたシンボルである）を変動表示（具体的にはリールの回動である）した後に識別情報を確定停止表示する可変表示手段を備え、始動用操作手段（例えば操作レバー）の操作に起因して識別情報の変動が開始され、停止用操作手段（例えばストップボタン）の操作に起因して或いは所定時間経過することにより識別情報の変動が停止され、その停止時の確定識別情報が特定識別情報であることを必要条件として遊技者に有利な特別遊技状態を発生させる特別遊技状態発生手段とを備え、遊技媒体として遊技球を使用するとともに、前記識別情報の変動開始に際しては所定数の遊技球を必要とし、特別遊技状態の発生に際しては多くの遊技球が払い出されるよう構成されてなる遊技機」となる。なお、かかる遊技機にあっては、前記リール等を具備する可変表示手段を可変表示装置として捉えてもよいし、前記リールとは別途設けられ、前記識別情報に対応する（疑似的な対応であってもよい）識別情報を表示可能な表示装置（例えば液晶表示装置）をここにいう可変表示装置として捉えてもよい。
【００３６】
【発明の実施の形態】
以下、パチンコ遊技機（以下、単に「パチンコ機」という）の一実施の形態を、図面に基づいて詳細に説明する。
【００３７】
図１に示すように、パチンコ機１は、外枠２と、該外枠２の前部に設けられ外枠２の一側部にて開閉可能に支持された前面枠３とを備えている。
【００３８】
前面枠３の前面側にはガラス扉枠４が開閉自在に設けられている。前面枠３の後側（ガラス扉枠４の奥、外枠２の内側）には、遊技盤５が着脱可能に装着されている。
【００３９】
ガラス扉枠４の下方には、遊技球Ｂを貯留するための球受皿としての上皿６が設けられている。また、前面枠３の前面下部には、ほぼ中央部において球受皿としての下皿７が設けられている。下皿７の側方には、遊技球発射用ハンドル８が設けられている。ハンドル８は図示しない遊技球発射装置に連結されており、遊技者がハンドル８を回転させることにより、遊技球Ｂが遊技球発射装置から発射される。
【００４０】
遊技盤５には、ルータ加工が施されることによって複数の開口部が形成されており、各開口部には、普通入賞チャッカー１１、可変入賞装置１２、作動チャッカー１３、可変表示装置１４、スルーチャッカー１５等が配設されている。
【００４１】
遊技盤５の一側部には、遊技球発射装置によって発射される遊技球Ｂを遊技盤５の上部に案内する内レール１６ａ及び外レール１６ｂが設けられている。内レール１６ａの下端部付近において、遊技盤５には遊技球Ｂを導出するアウト口１７が形成されている。そして、遊技盤５の下部に流下した遊技球Ｂの多くは、このアウト口１７を通って図示しない球排出路へと案内される。本実施の形態では、遊技盤５のうち内レール１６ａ及び外レール１６ｂによって囲まれ、可変表示装置１４等が配設された部分が、遊技球Ｂが流下可能な遊技領域となっている。
【００４２】
さて、可変表示装置１４は、液晶表示部２０と、該液晶表示部２０を囲むように設けられたセンターフレーム２１とを備えている。
【００４３】
液晶表示部２０には、例えば左図柄列、中図柄列及び右図柄列の３つの表示列が表示される。各図柄列は識別情報としての複数の図柄によって構成されており、これら図柄が各図柄列毎にスクロールするように可変表示される。
【００４４】
より詳しくは、可変表示装置１４の下方に設けられた作動チャッカー１３に遊技球Ｂが入球することに基づいて、可変表示装置１４の液晶表示部２０の図柄が可変表示される。そして、停止された図柄の組合せが予め設定した特定の組合せとなった場合には特別遊技価値が付与される。すなわち、大当たり状態が発生し、可変入賞装置１２の大入賞口が所定の開放状態となり（具体的には所定時間、所定回数だけ開く）、遊技球Ｂが入賞しやすい状態になる。なお、可変入賞装置１２は、通常、遊技球Ｂが入賞できない状態又は入賞し難い状態になっている。
【００４５】
また、周知のとおり、前記普通入賞チャッカー１１、可変入賞装置１２、作動チャッカー１３に遊技球Ｂが入球することに基づいて、上皿６又は下皿７に対し所定数の景品球（遊技球Ｂ）が払い出される。また、遊技盤５には、遊技球Ｂの流下方向を適宜分散、調整等するために多数の釘（但し便宜上、符号を省略する）が植設されているとともに、風車等の各種部材（役物）が配設されている。上記釘や風車等によって本実施の形態における案内手段が構成される。
【００４６】
次に、上記センターフレーム２１について図２乃至図４を参照しつつ説明する。センターフレーム２１は、中央部が前後方向に貫通した前ベース枠２２及び後ベース枠２３を備え、全体として枠体形状となっている。
【００４７】
後ベース枠２３の中央部には前記液晶表示部２０に対応した略矩形状の窓枠部２４が形成されている。窓枠部２４の周囲には、その前端部から遊技盤５に沿って略平板状の上板部２５、右板部２６、左板部２７及び下板部２８が延出されている。
【００４８】
上板部２５は、その左側周縁部が窓枠部２４の左上端部近傍から上方に向かって延び、上側周縁部が窓枠部２４の左端部近傍から左右方向略中央部までの範囲にかけてほぼ窓枠部２４の上辺部に沿って形成され、右側周縁部が前記上側周縁部の右端部近傍から窓枠部２４の右上端部近傍に向けて下方に傾斜しているように形成されている。
【００４９】
右板部２６は、その上側周縁部が上板部２５の右側周縁部から連なって右方向に向かって下方へ傾斜し、右側周縁部が上側周縁部の右端部から窓枠部２４の右下端部近傍に向けて緩やかに湾曲しているように形成され、全体として下方に向かうにつれ先細りした形状となっている。
【００５０】
左板部２７は、その上側周縁部が窓枠部２４左上端部近傍から左方向に向かって延び、左側周縁部が窓枠部２４の上端部近傍から上下方向略中央部をやや過ぎた位置までの範囲においてほぼ窓枠部２４の左辺部に沿って形成され、下側周縁部が左側周縁部の下端部から窓枠部２４の左下端部近傍に向けて緩やかに湾曲しているように形成されている。
【００５１】
下板部２８の下側周縁部は左右両板部２６，２７の周縁部から連なるように下に凸の略円弧形状となっている。
【００５２】
さて、右板部２６には前後方向に貫通した右開口部３０が設けられている。右開口部３０は右板部２６に対しかなりの領域を占め、その形状も右板部２６と略同一形状となっている。右開口部３０には当該右開口部３０と略相似形状（略同一形状）の右透光パネル３１が取着されている。右透光パネル３１は、略同一形状の前パネル３２、後パネル３３及び保護パネル３４が重ね合わされた複層構造となっている。重ね合わせの順序は前方より保護パネル３４、前パネル３２、後パネル３３の順となっている。各パネル３２，３３，３４は、本実施の形態においては透光性を有する透明又は半透明の樹脂により形成されている。但し、前パネル３２、後パネル３３は、透光性を有する部材で有れば、樹脂に限らず他の材質のもの例えばガラス等でもよい。
【００５３】
図５に示すように、前パネル３２の前面側（光の出射面側）、後パネル３３の背面側（光の入射面側）には、それぞれ複数の直線状凸部３５が設けられている。本実施の形態では、前後両パネル３２，３３における各直線状凸部３５はその断面形状が略半円形状をなし、所定方向に沿って延びている。詳しくは、前パネル３２では、鉛直方向に対して斜め４５度左下がりの傾きに沿って延びた複数の直線状凸部３５が列状に並んでいる。後パネル３３では、鉛直方向に対して斜め４５度右下がりの傾きに沿って延びた複数の直線状凸部３５が列状に並んでいる。従って、前後両パネル３２，３３が重ね合わされた状態では、前後両パネル３２，３３に設けられた直線状凸部３５は互いに略直交した状態となる。なお、前後両パネル３２，３３における直線状凸部３５の配列ピッチは後述するＬＥＤ４３の大きさと比較してより微細なものとなっている。
【００５４】
同様に、左板部２７にも左開口部３７が設けられ、当該左開口部３７には左透光パネル３８が取着されている。なお、左透光パネル３８の構成は、上記右透光パネル３５と略同一のためその説明を省略する。
【００５５】
一方、後ベース枠２３の背面側には各種電飾部材が取着されている。詳しくは、右板部２６の背面側には電飾部材を配設するための右側部取付部材４０が取着されている。右側部取付部材４０は、電飾部材が係止される係止板４１と、当該係止板４１から前方に向けて突出した複数の支柱部４２とを有している。右側部取付部材４０は、各支柱部４２の先端が右板部２６の背面に当接した状態で所定の固定手段により固定されている。従って、電飾部材が前記右透光パネル３１から所定間隔をおいて配置されることとなる。本実施の形態では、電飾部材として、係止板４１の前面側において複数のＬＥＤ４３を有する右側部ＬＥＤ基板４４が取着されている。
【００５６】
一方、左板部２７の背面側にも同様に、左側部ＬＥＤ基板４５が左側部取付部材４６を介して取着されている。従って、左側部ＬＥＤ基板４５も同様に左透光パネル３８から所定間隔をおいて配置されることとなる。
【００５７】
さらに、上板部２５の右側周縁部及び右板部２６の上側周縁部の上方の後方位置において、右上側部ＬＥＤ基板４７が右上部取付部材４８を介して取着されている。なお、右上部取付部材４８も係止板５０及び複数の支柱部４９を有しており、各支柱部４９の先端は上板部２５又は右板部２６の背面に当接状態で固定されている。また、右上部取付部材４８の係止板５０は、前記右側部取付部材４０の係止板４１と略面一となるように配置されている。従って、右上部ＬＥＤ基板４７の配置位置と、右側部ＬＥＤ基板４４の配置位置とは前後方向に略同一位置となっている。
【００５８】
さて、前ベース枠２２は、その下部において上記遊技盤５の開口部にはめ込まれる嵌込み部５１と、その上部において嵌込み部５１と連なった上梁部５２とを備えている。嵌込み部５１は、右板部２６の右側周縁部、左板部２７の左側周縁部及び下板部２８の下側周縁部に沿って形成され、略Ｕ字形状となっている。嵌込み部５１及び上梁部５２の周囲には遊技盤５面上に配設される複数のフランジ部５３が形成されている。
【００５９】
上梁部５２は、その両側部が嵌込み部５１の左右両端部より略上方に向かって延出され、その中央部が上に凸の略円弧形状となっている。上梁部５２の前面側には、当該上梁部５２のほぼ全域において、前方に向けて突出した天井部５４が設けられている。天井部５４の頂上部には遊技球Ｂが通過可能な開口部５５が形成されている。
【００６０】
上梁部５２の左側部には内方向に延出された下垂部５７が設けられている。下垂部５７の下側周縁部は、上梁部５２の左端部近傍から右方向に向けて延び、右方向に向かうにつれ上方に向けて緩やかに湾曲し、さらに右方向に向かうにつれ徐々にその傾きが略水平方向、斜め右下方向へとなるように緩やかに湾曲した形状となっており、その右端部が前記開口部５５の右端部の下方位置をやや越えた位置まで達している。また、開口部５５の右端部近傍から下方へ延出された下垂部５７の右側周縁部は、所定位置より前記下側周縁部の右端部に向けて斜め右下がりに傾斜している。
【００６１】
下垂部５７の前面側には各種役物が取着され、背面側には前記役物を駆動させる駆動機構が設けられている。詳しくは、図６に示すように、下垂部５７の背面側には取付凹部６０が形成されている。取付凹部６０内には駆動伝達部材６１が左右方向に摺動可能に取着されている。駆動伝達部材６１は、上下方向に延びる縦軸部６２と、縦軸部６２の下端部より左側（図６における右側）へ摺動方向に沿って延びる左操作部６３と、縦軸部６２の上端部より右側へ摺動方向に沿って延びる右操作部６４とから構成されている。
【００６２】
縦軸部６２には前後方向に貫通し上下方向に長い縦長孔６５が設けられている。左操作部６３と右操作部６４にはそれぞれ前後方向に貫通し摺動方向に長い左長孔６６、右長孔６７が形成されている。当該長孔６６，６７にはそれぞれ下垂部５７の背面側から突出したボス６９，７０が差し込まれている。
【００６３】
下垂部５７には、ボス６９の左側、ボス７０の右側においてそれぞれ前後方向に貫通し摺動方向に長い略円弧状の左円弧長孔７１、右円弧長孔７２が形成されている。各円弧長孔７１，７２は下に凸となる円弧形状となっている。
【００６４】
円弧長孔７１，７２に対応するように、左操作部６３及び右操作部６４の先端部にはそれぞれ前後方向に貫通し上下方向に長い左端長孔７３、右端長孔７４が形成されている。
【００６５】
下垂部５７の背面側には、前記取付凹部６０を覆い、駆動伝達部材６１の脱落を防止する取付カバー７５が取着されている（図２等参照）。取付カバー７５には、上記縦軸部６５の位置に対応して前後方向に貫通した略円形の開口部７５ａが形成されている。
【００６６】
取付カバー７５の背面側には開口部７５ａの後方においてモータ７６が取着されている。モータ７６の回転軸の先端部には開口部７５ａに差し込まれる円盤体７７が取着されている。円盤体７７の前面側にはモータ７６の回転軸線上から外れた位置において前方へ突出した棒状凸部７８が設けられている。棒状凸部７８は上記縦長孔６５に差し込まれている。
【００６７】
一方、下垂部５７の前面側には複数の薄板状の装飾パネル８０が取着され、その前面側には上記左円弧長孔７１、右円弧長孔７２の位置に対応してそれぞれ大可動部材８１、中可動部材８２が回動可能に軸支されている。なお、各装飾パネル８０には左円弧長孔７１、右円弧長孔７２に対応した図示しない孔部が形成されている。さらに、中可動部材８２の右側には小固定部材８３が取着されている。下垂部５７の前面側には、透明又は半透明の役物カバー８５が取着されている。役物カバー８５は、下垂部５７と略同一形状で断面凹形状に構成されており、その右側壁部８６は下垂部５７の右側周縁部に沿って傾斜している。
【００６８】
ここで大可動部材８１及び中可動部材８２に関連した構成部分について詳しく説明する。大可動部材８１及び中可動部材８２の上部にはそれぞれ前後方向に貫通した軸孔８７，８８が形成されている。軸孔８７，８８にはそれぞれ軸棒８９，９０が差し込まれている。下垂部５７の前面側及び役物カバー８５の背面側には、軸棒８９を受ける一対の軸受け部９１，９２、軸棒９０を受ける一対の軸受け部９３，９４がそれぞれ相対向するように形成されている。
【００６９】
大可動部材８１及び中可動部材８２の背面側には、それぞれ軸孔８７，８８の下方において、上記左円弧長孔７１、右円弧長孔７２の位置に対応するように棒状の操作子９５，９６が後方に向けて突出形成されている。操作子９５，９６はそれぞれ左円弧長孔７１、右円弧長孔７２を介して上記左端長孔７３、右端長孔７４に差し込まれている。
【００７０】
上記構成に基づき、モータ７６が回転すると、この回転動作が円盤体７７を介して駆動伝達部材６１に伝達され、駆動伝達部材６１が左右方向に往復動する。そして、駆動伝達部材６１の往復動作が操作子９５，９６を介して大可動部材８１、小固定部材８２に伝達される。大可動部材８１、小固定部材８２は軸棒８９，９０を中心に往復回動する。
【００７１】
さて、下垂部５７の下部には、前ベース枠２２の左右方向略中央部において報知表示部１００が取着されている。報知表示部１００は、下垂部５７に固定された基部１０１と、基部１０１の前面側に取着された透光性レンズ１０２と、透光性レンズ１０２の前面側を覆う被覆部１０３と、基部１０１の背面側に取着された報知用ＬＥＤ基板１０４とにより構成されている。
【００７２】
報知用ＬＥＤ基板１０４には複数のＬＥＤ１０５が設けられている。基部１０１には各ＬＥＤ１０５に対応した複数の孔部１０６が形成され、透光性レンズ１０２の前面側には各ＬＥＤ１０５に対応して複数の絵柄が象られている。被覆部１０３には前記各絵柄と略同一形状の絵柄孔１０７が形成されている。
【００７３】
下垂部５７の右側には、上記嵌込み部５１の右端部より上記右板部２６の上側周縁部に沿って延出された天板部１１０が設けられている。天板部１１０の先端部は下垂部５７の右端部に連接されている。天板部１１０の略中央部には上下方向に貫通した監視孔１１２が形成されている。これにより、下垂部５７の右側において長窓部１１３が形成される。長窓部１１３は上記右上部ＬＥＤ基板４７の前方に位置している。
【００７４】
長窓部１１３には当該長窓部１１３と略同一形状の右上透光パネル１１５が取着されている。なお、右上透光パネル１１５の構成は、上記右透光パネル３１や左透光パネル３８とほぼ同様のためその説明を省略する。
【００７５】
さて、前ベース枠２２の右側部には、前記右透光パネル３１及び右上透光パネル１１５の前面側を覆うように透光性を有するレンズカバー１１７が取着されている。本実施の形態では、レンズカバー１１７と、右透光パネル３１及び右上透光パネル１１５とによって囲まれた空間部分によって、上記開口部５５を通過した遊技球Ｂをセンターフレーム２１下部へと案内する球案内流路が形成される。
【００７６】
レンズカバー１１７は、その前面部において、前ベース枠２２の右内側部に沿って湾曲形成された右レンズ部１１８と、右レンズ部１１８の左側部に沿って形成された中レンズ部１１９と、中レンズ部１１９の左側部に沿って形成された左レンズ部１２０とを有している。
【００７７】
各レンズ部１１８，１１９，１２０は、その上端部が上記天井部５４にまで達しており、左右方向の幅が下方に向かうにつれ先細りしている。右レンズ部１１８及び中レンズ部１１９の下端部は上記窓枠部２４の右下端部近傍にまで達しており、左レンズ部１２０の下端部は右中レンズ部１１８，１１９の下端部よりやや上方に位置している。
【００７８】
また、前後方向に対して、各レンズ部１１８，１１９，１２０は、下方に向かうにつれその前面部がより後方へ位置するように緩やかに湾曲している。各レンズ部１１８，１１９，１２０の上端部近傍における前面部は天井部５４の前端部近傍に位置している。右レンズ部１１８及び中レンズ部１１９の下端部は窓枠部２４の前後方向略中央部に位置しており、左レンズ部１２０の下端部は右板部２６の前面部近傍に位置している。
【００７９】
左レンズ部１２０の左側部には、当該左側部から後方へ延出された左側壁部１２１が設けられている。左側壁部１２１の外面には前後方向に沿って延びた複数の直線状凸部１２２が列状に並んで形成されている。
【００８０】
左側壁部１２１は、上記下垂部５７の右端部（上記天板部１１０）より上部分が下垂部５７の形状に合わせて切り欠かれ当該下垂部５７に当接し、それより下部分が前記右板部２６に当接している。
【００８１】
左レンズ部１２０の右側部と中レンズ部１１９の左側部との間には段差が形成されており、中レンズ部１１９がより前方に位置している。当該段差部分には中側壁部１２３が形成されている。
【００８２】
同様に、中レンズ部１１９の右側部と右レンズ部１１８の左側部には段差が形成されており、右レンズ部１１８がより前方へ位置している。当該段差部分には右側壁部１２４が形成されている。また、中右側壁部１２３，１２４の外面には、左側壁部１２１同様に、複数の直線状凸部１２２が形成されている。なお、中側壁部１２３の下端部は遊技球Ｂが通過可能なように切り欠かれている。
【００８３】
左レンズ部１２０の上端部には、上記天井部５４と役物カバー８５との前面側の隙間を覆う被覆部１２５が設けられている。
【００８４】
レンズカバー１１７の背面側には、右レンズ部１１８及び中レンズ部１１９を仕切る右リブ１２６と、中レンズ部１１９及び左レンズ部１２０を仕切る左リブ１２７とが設けられている。これにより、レンズカバー１１７には、右レンズ部１１８、中レンズ部１１９、左レンズ部１２０の背面側において、それぞれ遊技球Ｂが通過可能な右溝部１２８、中溝部１２９、左溝部１３０が形成される。
【００８５】
右リブ１２６及び左リブ１２７は、上記天板部１１０より上部分が切り欠かれ上記右上透光パネル１１５に当接し、それより下部分の一部が上記右透光パネル（保護パネル３４）に当接している。
【００８６】
右リブ１２６の長手方向略中央部より下部全域が切り欠かれ、右溝部１２８と中溝部１２９との間を遊技球Ｂが通過可能となっている。また、左リブ１２７の下端部近傍における一部分が切り欠かれ、中溝部１２９と左溝部１３０との間を遊技球Ｂが通過可能となっている。
【００８７】
一方、保護パネル３４の前面側には、右リブ１２６及び左リブ１２７の切り欠き部分に対応して、誘導リブ１３３と規制リブ１３４とが設けられている。誘導リブ１３３は、遊技球Ｂを左溝部１３０から中溝部１２９へと誘導可能なように段階的にその傾斜角度を変化させつつ右下がりに形成されている。規制リブ１３４は、誘導リブ１３３によって誘導される遊技球Ｂの右方向へ動きを規制するように上下方向に沿って形成されている。
【００８８】
上記構成により、上記開口部５５を通過した遊技球Ｂは、上記役物カバー８５の右側壁部８６に沿って右方向へ流下し、左溝部１３０内へと導かれる。当該遊技球Ｂは左溝部１３０に沿って流下し、誘導リブ１３３及び規制リブ１３４によって中溝部１２９へと導かれる。そして、当該遊技球Ｂは右溝部１２８又は中溝部１２９に沿って流下し、上記中側壁部１２３の切り欠き部より後述するステージ部１４５へと排出される。
【００８９】
一方、後ベース枠２２の左板部２７（左透光パネル３８）の前面側には、装飾カバー１３８が取着されている。装飾カバー１３８は、上記レンズカバー１１７の下部と略左右対称形状となっている。
【００９０】
さて、嵌込み部５１の下部には、上記下板部２８の下側周縁部の形状に合わせて凹部１４０が形成されている。凹部１４０の左右方向略中央部には、遊技球Ｂを上記作動チャッカー１３の方へ誘導可能な誘導路１４１が形成されている。誘導路１４１は、後部が遊技球Ｂほぼ１つ分の幅に、前部が遊技球Ｂ複数個分の幅に構成されている。また、誘導路１４１の前端部には遊技球Ｂが通過可能な開口部１４２が形成されている。
【００９１】
嵌込み部５１の下部には、凹部１４０を覆うステージ部材１４５が取着されている。ステージ部１４５は、左右方向に沿って左右両端部から中央部に向かうにつれ下方へ傾斜し、さらに中央に向かうにつれ上方へ傾斜し、左右方向中央部が凸状に形成されている。当該左右方向中央部（頂上部）には後方に向けて傾斜した傾斜部１４６が形成されている。一方、後ベース枠２３には、傾斜部１４６に対応するように、窓枠部２４及び下板部２８の左右方向略中央部において誘導溝１４７が形成されている。誘導溝１４７は誘導路１４１の後部に連通している。
【００９２】
上記構成により、例えば上記球案内流路より排出された遊技球Ｂはステージ部材１４５上を転動する。一部の遊技球Ｂは傾斜部１４６、誘導溝１４７及び誘導路１４１を通って上記作動チャッカー１３の方へ誘導される。
【００９３】
さて、上述したように、右板部２６は、窓枠部２４、上板部２５、下板部２８、及び左板部２７と一体形成され後ベース枠２３を構成している。本実施の形態において、右板部２６及び窓枠部２４の一部により取付枠１４９が形成されており、該取付枠１４９は取付手段を構成している。取付枠１４９に形成された右開口部３０を塞ぐようにして（嵌合されるようにして）、前パネル３２、後パネル３３及び保護パネル３４よりなる右透光パネル３１が取着されている。本実施の形態では、保護パネル３４により保持手段が構成されている。また、本例では前パネル３２、後パネル３３が板状体に相当する。
【００９４】
ここで、取付枠１４９及び右透光パネル３１等について図３乃至１４を参照しつつ詳細に説明する。
【００９５】
図８は取付枠１４９の背面図であって、図７は右透光パネル３１の取着状態における図８のＪ−Ｊ線断面図である。これらの図に示すように、右板部２６は、該右板部２６の外形を形成する枠部１５０を備えている。また、該枠部１５０及び窓枠部２４の壁面から右開口部３０の内周方向に向かって延びるよう支持部１５１が形成されている。
【００９６】
枠部１５０及び支持部１５１には、右透光パネル３１を係止するための係止部としての係止爪１５２，１５３が内周方向に向かって延びるよう一体形成されている。一方の係止爪１５２は平板状をなし、他方の係止爪１５３は断面略三角形状をなしている。加えて、各係止爪１５２，１５３から枠部１５０の前面までの距離Ｌ１は、右透光パネル３１の厚みと等しくなるよう構成されている。
【００９７】
前記支持部１５１には、前記係止爪１５２，１５３と同様に、右透光パネル３１を係止するための係止部としての係止突部１５４が形成されているとともに、右透光パネル３１の挿通を円滑に行うための円柱状の案内手段としての位置決め部１５５が形成されている。前記係止突部１５４は、略Ｌ字状の可撓部１５６を備えている。該可撓部１５６の先端には右開口部３０の内周方向に向かって延びる爪部１５７が設けられている。可撓部１５６の右開口部３０内周側の面は、支持部１５１の内壁面と面一となるように構成されており、爪部１５７のみが右開口部３０の内側へ突出した構成となっている。また、爪部１５７から枠部１５０の前面までの距離Ｌ２も、右透光パネル３１の厚みと等しくなるよう構成されている。
【００９８】
尚、取付枠１４９には、該取付枠１４９に対応する部材（例えば、右側部取付部材４０、レンズカバー１１７）を取付けるための取付孔が複数箇所に設けられており、かかる取付孔に対し、図示しないねじが挿通あるいは螺合されることによって対応する部材の取付けが行われるようになっている。
【００９９】
図９，１１に示すように、前記保護パネル３４は、前パネル３２及び後パネル３３と略同一形状の板状部としてのパネルベース１７０、該パネルベース１７０の背面に設けられた係止体としてのパネル爪１７１、及びパネルベース１７０が切欠かれることで形成された案内溝１７２を備えている。パネル爪１７１は、パネルベース１７０の背面側端部から奥側に向かって延びるよう形成された規制部１７３と、該規制部１７３の先端からパネルベース１７０の外方向に延びるよう形成された爪部１７４とから構成されている。かかる爪部１７４は前記支持部１５１に係止されるものである。
【０１００】
図１０，１１に示すように、前パネル３２及び後パネル３３は、前記パネル爪１７１の規制部１７３に嵌合されるよう切り欠かれた爪受部１８０と、前記案内溝１７２に対応して切り欠かれた案内溝１８１とを備えている。
【０１０１】
以上のように構成された取付枠１４９と右透光パネル３１とを取付ける際の取付工程について説明する。
【０１０２】
はじめに、図１１に示すように、前記各パネル３２，３３，３４を保護パネル３４、前パネル３２、後パネル３３の順に相対配置する。
【０１０３】
次に、図１２に示すように、保護パネル３４に対し、前パネル３２及び後パネル３３を重ね合わせる。このとき、前パネル３２及び後パネル３３の各爪受部１８０が対応するパネル爪１７１の規制部１７３に嵌合され、前パネル３２及び後パネル３３の各面に対して水平方向の移動が規制される。結果として、保護パネル３４、前パネル３２及び後パネル３３が位置合わせされた状態で重ね合わせられ、これにより、右透光パネル３１が構成される。そして、該右透光パネル３１を取付枠１４９に対して相対するように配置する。
【０１０４】
続いて、図１４に示すように、右透光パネル３１を取付枠１４９に取付ける。そのときの手順について以下に説明する。
【０１０５】
まず、右透光パネル３１を係止爪１５２の前面側に嵌め込む。このとき、右透光パネル３１の案内溝１７２，１８１が、位置決め部１５５に当接させられる。該当接によって、右透光パネル３１の右開口部３０に対する位置合わせを行うことができ、ひいては右透光パネル３１を右開口部３０の取付位置へとスムースに案内することができる。
【０１０６】
そして、前記案内（詳しくは、右透光パネル３１の押圧）によって、右透光パネル３１が係止突部１５４の爪部１５７及び係止爪１５２，１５３の前面に係止される。これにより、右透光パネル３１の奥側への移動（図７における上方への移動）が規制される。同時に、前記パネル爪１７１の爪部１７４が支持部１５１の背面に当接させられ、支持される。これにより、右透光パネル３１が支持部１５１の前面側への移動（図７における下方への移動）が規制される。つまり、右透光パネル３１が取付枠１４９に対し取付けられる。
【０１０７】
一方、右透光パネル３１を取り外す際においては、前記手順を踏まえ、右透光パネル３１を取付枠１４９の前面側から押圧することで、係止突部１５４及び係止爪１５２，１５３による係止を比較的簡単に解除することができる。
【０１０８】
なお、左板部２７及び左透光パネル３８の構成は、上記右板部２６及び右透光パネル３１と略同一のためその説明を省略する。
【０１０９】
さて、上記例では、保護パネル３４に対し、前後２枚の前パネル３２及び後パネル３３を係止する場合について具体化されているが、保護パネル３４に対し取付けられるパネル（板状体）としては、必ずしも上記例の構成に限定されるものではない。すなわち、前記両パネル３２，３３のうち、いずれか１枚のみを係止する構成とすることもできる。また、前記両パネル３２，３３とは全く別のパネルを用いてもよい。例えば、前記２枚のパネル３２，３３の厚みの和と同等の厚みを有する１枚のパネルであってもよいし、３枚以上のパネルであってもよい。例えば、右透光パネル３１を構成する各パネルを一枚にすることによって、右透光パネル３１の透光性を向上させることができる。また、右透光パネル３１を構成するパネル枚数を多くした場合には、より複雑な光の拡散態様を導出することができる。
【０１１０】
また、直線状凸部３５を有しない、平坦なパネルであってもよいし、着色の施されたパネルであってもよい。さらには、各種凹凸や着色をパネルに施し、遊技機毎に異なるパネルを設けることとしてもよい。このようにパチンコ機毎に、パネルの透光特性を異ならせることで、機種毎に特徴を持たせることもできる。さらに、直線状凸部３５の代わりに、多くの球面状凸部を有するパネルであってもよいし、多数の微細な透孔を有するパネルであってもよいし、内部に微細な粉状体が分散されたパネルであってもよい。
【０１１１】
このように、本実施の形態では、保護パネル３４に対し、まず、１枚乃至複数枚の板状体（上記例では前パネル３２及び後パネル３３）が係止状態で保持されることで、右透光パネル３１とされる。そして、かかる保持状態にある右透孔パネル３１が取付枠１４９に対し、係止される。このような構成を採用することで、遊技場側、或いは、メーカー側で、各種透光特性を有する板状体を、適宜容易に交換等することができる。つまり、取付枠から右透光パネル３１を取り外し、保護パネル３４に保持されている板状体を交換したり、追加したり、削減したりした上で、再度係止状態に復帰させることで、容易に透光態様、光の視認態様を別のものにすることができる。そのため、装飾に関し、容易にバリエーションをもたせることができ、結果として興趣の飛躍的な向上を図ることができる。
【０１１２】
また、遊技球Ｂの流路に面する保護パネル３４の存在により、遊技球Ｂによる板状体（前パネル３２、後パネル３３）への悪影響を抑制することができる。すなわち、上記例にあっては、演出に大きな影響を与える直線状凸部３５が、遊技球Ｂからの衝突応力により欠けたり、磨耗したりしてしまうといった事態を抑制することができる。
【０１１３】
さらに、本例では、右透光パネル３１を透過するＬＥＤ４３の照射光により、遊技球の動きをより鮮明に演出することができる。また、右透光パネル３１及び右上透光パネル１１５の前面側を覆うようにレンズカバー１１７が設けられ、開口部５５を通過した遊技球Ｂをセンターフレーム２１下部へと案内する球案内流路が形成されている。ここで、レンズカバー１１７が透光性を有することにより、遊技者に対し、案内流路を通過する遊技球の動きをより鮮明に興趣をもって視認させることができる。
【０１１４】
特に、本実施の形態では、センターフレーム２１の遊技球通路に対応して右透光パネル３１が設けられており、遊技球Ｂ自身が背後からの光によって、光って視認される場合がある。このため、今までにはない装飾態様を導出することができる。また、遊技球通路を通過する遊技球Ｂを視認しやすいため、ステージ部１４５のみならず、遊技球通路（ワープ流路）を通過する遊技球Ｂについても、該遊技球Ｂの挙動を堪能することができる。つまり、後ベース枠２３の広範囲に渉り遊技球Ｂの動きを視認させることができるため、興趣の飛躍的な向上を図ることができる。尚、前記レンズカバーを拡大縮小レンズで構成することで、更なる面白味のある演出効果をもたらすことができ、興趣の飛躍的な向上を図ることができる。
【０１１５】
尚、上述した実施の形態の記載内容に限定されず、例えば次のように実施してもよい。
【０１１６】
（ａ）前パネル３２、後パネル３３、保護パネル３４のうち遊技球が当接しうる側の面を略平坦面にすることが望ましい。例えば、保護パネル３４のパネルベース１７０を省略した場合、前パネル３２が遊技球Ｂに当接しうることとなるが、この場合、直線状凸部３５が背面に位置するように設置することが望ましい。かかる構成により、欠けたり、磨耗してしまうといった事態を抑制することができる。結果として、前パネル３２、後パネル３３等による演出を鮮明な状態で長期間視認させることができる。
【０１１７】
（ｂ）上記（ａ）でも述べたように、保護パネル３４のパネルベース１７０を省略してもよい。
【０１１８】
（ｃ）上記実施の形態では、係止爪１５２，１５３と爪部１５７とが、いずれも右透光パネル３１の背面（後パネル３３の背面）に当接することで係止しているが、必ずしもそのような構成に限定されるものではない。例えば、各係止爪１５２，１５３、及び爪部１５７が、それぞれ異なる板状体（上記例では前パネル３２と後パネル３３）を係止する構成としてもよい。
【０１１９】
（ｄ）上記実施の形態においては、パネル爪１７１がパネルベース１７０に一体形成されているが、別体で構成されてもよい。例えば、パネル爪１７１とパネルベース１７０とをねじ等で固定してもよい。
【０１２０】
（ｅ）また、係止突部１５４、係止爪１５２，１５３の形状、数等についても特に限定されるものではない。すなわち、上記例においては、係止突部１５４、係止爪１５２，１５３が右透光パネル３１の奥側への移動（図７における上方への移動）を規制することができる構成となっていればよい。例えば、係止爪１５２を断面略三角形状としてもよいし、係止爪１５２、１５３等を省略してもよい。また、パネル爪１７１についても、同様である。
【０１２１】
（ｆ）上記実施の形態では、前パネル３２及び後パネル３３が保護パネル３４に係止され、かかる係止状態を保持した状態（右透光パネル３１が構成された状態）で取付枠１４９に取付けることとしたが、特にこのような手順に限定されるものではない。例えば、各パネル３４，３２，３３毎に取付けることとしてもよいし、保護パネル３４と前パネル３２とを重ねて一度に取付けることとしてもよい。
【０１２２】
（ｇ）上記実施の形態では、右透光パネル３１の取付けに際し、右透光パネル３１を係止爪１５２の前面側に嵌め込んでから、右透光パネル３１を押圧して係止爪１５３、係止突部１５４に係止させることとしているが、右透光パネル３１を係止爪１５２，１５３、係止突部１５４に対し同時に係止させることとしてもよい。
【０１２３】
（ｈ）上記実施の形態では、右透光パネル３１を開口部３０にスムースに案内すべく、案内溝１７２、１８１と位置決め部１５５とが設けられているが、特に案内手段となる案内溝１７２、１８１と位置決め部１５５の形状や数等は限定されるものではない。例えば、複数箇所にテーパ状の位置決め部を設けてもよい。また、案内手段なるものを省略してもよい。
【０１２４】
（ｉ）上記実施の形態では、装飾手段に関する構成がパチンコ機に具体化されているが、必ずしもパチンコ機に限定されるものではなく、例えばスロットマシンやパチンコ機とスロットマシンとが融合した遊技機等に具体化することもできる。
【図面の簡単な説明】
【図１】一実施の形態におけるパチンコ機を示す正面図である。
【図２】センターフレームを示す斜視図である。
【図３】センターフレームを示す正面分解斜視図である。
【図４】センターフレームを示す背面分解斜視図である。
【図５】直線状凸部を示す図である。
【図６】駆動伝達部材等を示す図である。
【図７】右透光パネルの取着状態における図８のＪ−Ｊ線断面図である。
【図８】取付枠の背面図である。
【図９】保護パネルの正面図である。
【図１０】板状体（前パネル、後パネル）の正面図である。
【図１１】保護パネル、前パネル、後パネルの配置関係を表す斜視図である。
【図１２】取付枠と右透光パネルとの配置関係を表す分解斜視図である。
【図１３】右透光パネルの取着過程における部分断面図である。
【図１４】右透光パネルの取着状態における取付枠の分解斜視図である。
【符号の説明】
２３…装飾手段としての後ベース枠、２４…窓枠部、２６…右板部、３０…右開口部、３１…右透光パネル、３２…板状体としての前パネル、３３…板状体としての後パネル、３４…保持手段としての保護パネル、１４９…取付手段としての取付枠、１５０…枠部、１５１…支持部、１５２，１５３…係止部としての係止爪、１５４…係止部としての係止突部、１５５…案内手段としての位置決め部、１５７…爪部、１７０…板状部としてのパネルベース、１７１…係止体としてのパネル爪、１７２…案内溝、１７３…規制部、１７４…爪部、１８１…案内溝。
【図１】
2004065720.tif 000003
【図２】
2004065720.tif 000004
【図３】
2004065720.tif 000005
【図４】
2004065720.tif 000006
【図５】
2004065720.tif 000007
【図６】
2004065720.tif 000008
【図７】
2004065720.tif 000009
【図８】
2004065720.tif 000010
【図９】
2004065720.tif 000011
【図１０】
2004065720.tif 000012
【図１１】
2004065720.tif 000013
【図１２】
2004065720.tif 000014
【図１３】
2004065720.tif 000015
【図１４】
2004065720.tif 000016